(57)【要約】【課題】  フック金具の突出部によるアイテープの膨出をなくして着用者の肌への圧迫感や違和感をなくして着心地を良くする。【解決手段】  ブラジャー、ボディスーツなどのバック布Ｂに取り付けられるアイ金具２を付けたアイテープ１と、そのアイ金具２の頭部位置にフック金具１２の頭部を収納する孔３を穿設する。【選択図】      図１  
0003105465.tif 000002
【実用新案登録請求の範囲】
【請求項１】
ブラジャー、ボディスーツなどのバック布に取り付けられるアイ金具を付けたアイテープと、そのアイ金具と係止するフック金具を付けたフックテープとからなるフックアイテープであって、アイ金具の頭部位置にフック金具の頭部を収納する孔を穿設したことを特徴とするフックアイテープ。
【請求項２】
アイテープおよびフックテープは熱融着によってバック布に取り付けられている請求項１に記載のフックアイテープ。
【考案の詳細な説明】
【技術分野】
【０００１】
本考案は、ブラジャー、ブラスリップ、ボディスーツ等のファンデーション、インナーウエアー、アウターウエアーおよびレオタード、水着などの背面部に取り付けられるフックアイテープに関するものである。
【背景技術】
【０００２】
従来から、主としてブラジャー、ブラスリップ、ボディスーツ等のファンデーションには、通常、図１１、図１２に示すように、着脱のためにバック布Ｂの一端部に雌係止具のループ状のアイ金具５２を取り付けたアイテープ５１と、そのアイ金具５２と係合する雄係止具のフック金具６２を反対側に取り付けたフックテープ６１からなる一対の短片テープが縫着されており、フック金具６２とアイ金具５２の係脱によって着脱している。
【０００３】
アイテープ５１は、図１１に示すように、ブラジヤーなどを着用する時に、着用者のバストサイズの大小に応じて長さを調整できるように、長さ方向にループ状のアイ金具５２、５２、５２を３列に取り付けてあり、その係脱位置を変えることにより、締め付け具合を調整できるようになっている。
【０００４】
一方、フックテープ６１は、その一側端にループ状のアイ金具５２、５２、５２に引っ掛けて係合するフック金具６２が取り付けられている。このようなフック金具６２とアイ金具５１を有するフックテープ６２とアイテープ５１によってブラジャーなどの開口部分の開閉が古くから行なわれている。
【考案の開示】
【考案が解決しようとする課題】
【０００５】
しかしながら、上記のフックテープ６１に取り付けられているフック金具６２は、ループ状のアイ金具５２に引っ掛けて係合できるように、アイテープ５１の表面側に接するように折り曲げて鉤状に形成してあり、その鉤状突出部によってアイ金具５２と係合すると、図１２に示すように、鉤状突出部でアイテープ５１の当接部が押圧され反対の裏面肌側に膨らみが発生し、着用した時に圧迫感や違和感が生じる欠点があった。特に、背もたれのある椅子などに座り、背中を背もたれに当接させると顕著であった。
【０００６】
そのような問題を解決するために、従来から、アイテープの肌側に柔軟性のある生地を使用したり、あるいはアイテープを比較的厚いクッション芯生地を用いてフック金具の喰い込みがあっても、影響を少なくするように工夫されていたが、フック金具の突出部によるアイテープの裏面肌側に生じる膨らみは残り、根本的な解決に至っていないのが現状である。
【０００７】
本考案は、上記のような問題点を解決することを課題として研究開発されたもので、フック金具の突出部によるアイテープの膨出をなくして着用者の肌への圧迫感や違和感のない着心地の良いフックアイテープを提供することを目的とするものである。
【課題を解決するための手段】
【０００８】
上記の課題を解決し、その目的を達成する手段として、本考案は、ブラジャー、ボディスーツなどのバック布に取り付けられるアイ金具を付けたアイテープと、そのアイ金具と係止するフック金具を付けたフックテープとからなるフックアイテープであって、アイ金具の頭部位置にフック金具の頭部を収納する孔を穿設したことを特徴とするフックアイテープを開発し、採用した。
【０００９】
また、上記のように構成したフックアイテープにおいて、アイテープおよびフックテープは熱融着によってバック布に取り付けられているフックアイテープを開発し、採用した。
【考案の効果】
【００１０】
本考案は、アイ金具の頭部位置のアイテープにフック金具の頭部を収納できる孔を穿設してあるから、従来のようにフック金具でアイテープの裏面肌側を膨出するようなことがなくなり、着用者の肌への圧迫感や違和感をなくして肌あたりが良く着心地が良好になる。
【考案を実施するための最良の形態】
【００１１】
以下に、本考案の第１実施の形態を添付の図１〜図３に基づいて説明すれば、ブラジャーなどの身生地であるバック布Ｂの一端部に短いアイテープ１を縫着すると共に、他端部にも短いフックテープ１１を縫着して構成されている。
【００１２】
アイテープ１には、強度が強くて洗濯しても錆にくいステンレス系金属線を屈曲加工して一端部をループ部２ａに、他端部を方形枠状に屈曲して左右の取り付け環２ｂ，２ｂとした公知形状のアイ金具２がアイテープ１の長さ方向に、上下２個ずつ３列に取り付けられている。
【００１３】
そのアイテープ１の一定間隔毎に縫着されたアイ金具２，２、２，２、２，２の頭部位置に横長円状の孔３，３、３，３、３，３が長さ方向に穿設してあり、後述のフックテープ１１に取り付けられるフック金具１２の頭部が収納される大きさになっている。
【００１４】
フックテープ１１の端部に縫着されるフック金具１２は、アイ金具２と同様の強度が強くて洗濯しても錆にくいステンレス系金属線をアイテープ１の表面側に接するように屈曲加工して一端部を鉤部１２ａに、他端部を方形枠状に屈曲して左右取り付け環１２ｂ，１２ｂとした公知の形状のもので、フックテープ１１の一側端部の上下に２個取り付けられている。
【００１５】
このように構成したフックアイテープの使用状態を作用、効果と共に説明すると、従来と同様に、ブラジャー、ブラスリップ、ボディスーツ等のファンデーション、インナーウエアー、アウターウエアーおよびレオタード、水着などバック布に縫着して用いることができる。
【００１６】
すなわち、フックテープ１１の一側端に縫着されたフック金具１２，１２をアイテープ１の一定間隔毎に縫着されたループ状のアイ金具２，２に引っ掛けて係合すれば、フック金具１２，１２の頭部全体が孔３，３内に収容されることから、フック金具１２，１２でアイテープ１の裏面肌側が膨らむようなことがなく、着用者の肌への圧迫感や違和感をなくして肌あたりが良くなる。
【００１７】
つぎに、図４〜図１０に示すのは本考案の第２実施の形態を示すもので、上記第１実施施の形態では、アイテープ１およびフックテープ１１がバック布Ｂに縫着されるタイプのテープであったが、この第２実施の形態では熱融着タイプのテープである点が相違している。
【００１８】
すなわち、アイテープ２１は、図７、図８に示すように、縦長の方形状の表面布２２と、アイ金具２３を縫着する表面布より小さい内面布２４と、その内面布２４の表裏面に設けた接着シート２５，２５とから構成されており、表面布２２の長さ方向に上下２個ずつ３列に切目２６……２６を刻設してあり、その切目２６……２６からループ状のアイ金具２３……２３が突出している。そして、表面布２２と内面布２４との間および内面布２４の裏面に設けた接着シート２５，２５を加熱することにより表面布２２と内面布２４が一体になると共に、バック布Ｂに融着される。
【００１９】
２７はループ状のアイ金具２３……２３が縫着されている内面布２４および表面布２２のアイ金具２３……２３の頭部位置に設けた横長円状の透孔であり、後述のフックテープ３１に取り付けられたフック金具３２の頭部が収納されるのは前記第１実施の形態と同じである。
【００２０】
一方、フックテープ３１は、図９、図１０に示すように、横長の方形状の表面布３２と、フック金具３３を縫着した表面布より小さい内面布３４と、その内面布３４の表裏面に設けた接着シート３５，３５とから構成されており、表面布３２の上下に設けた切目３６、３６を刻設してあり、その切目３６、３６からフック金具３３、３３が突出している。そして、表面布３２と内面布３４との間および内面布３４の裏面に設けた接着シート３５，３５を加熱することにより表面布３２と内面布３４が一体になると共に、バック布Ｂに融着される。
【００２１】
このように構成した第２実施の形態の使用状態および作用効果を説明すると、フック金具３３，３３をアイ金具２３，２３に係合することにより、フック金具３３，３３の頭部全体が孔２７，２７に収容されるのは前記実施の形態１と同様であるが、全体的に薄く仕上げることができ、バック布Ｂに張り付けても段差が僅かであることから、凹凸部が生じることなく、圧迫感や違和感を生じることがない。また、フック金具３３、アイ金具２３をフックテープ３１およびアイテープ２１に縫い付ける縫糸３７，２８が外面に現れないので外観がすっきりとした美麗なテープになる。
【００２２】
なお、前記第１，第２の実施の形態においては、アイ金具２，２３を上下に２個取り付けると共に、長さ方向に３列設けた場合について説明したが、本発明は、これらの実施の形態に限定されるものではなく、１列の場合や２列の場合もあり、発明の目的を達成でき、かつ発明の要旨を逸脱しない範囲内において種々の設計変更が可能であることは当然のことである。
【産業上の利用可能性】
【００２３】
本考案は、ブラジャーだけでなく、ブラスリップ、ボディスーツ、レオタード、水着等に取り付けられるフックアイテープにも利用できる。
【図面の簡単な説明】
【００２４】
【図１】本発明の第１実施の形態を示すフック金具とアイ金具の係合前の正面図である。
【図２】本発明の第１実施の形態を示すフック金具とアイ金具を係合した正面図である。
【図３】本発明の第１実施の形態を示すフック金具とアイ金具を係合した状態の断面図である。
【図４】本発明の第２実施の形態を示すフック金具とアイ金具の係合前の正面図である。
【図５】本発明の第２実施の形態を示すフック金具とアイ金具を係合した正面図である。
【図６】本発明の第２実施の形態を示すフック金具とアイ金具を係合した状態の断面図である。
【図７】本発明の第２実施の形態を示すアイテープの正面図である。
【図８】本発明の第２実施の形態を示すアイテープの分解図である。
【図９】本発明の第２実施の形態を示すフックテープの正面図である。
【図１０】本発明の第２実施の形態を示すフックテープの分解図である。
【図１１】従来のフックアイテープを係合した正面図である。
【図１２】従来のフックアイテープを係合した状態の断面図である。
【符号の説明】
【００２５】
１，２１    アイテープ
２，２３    アイ金具
３，７      孔
１１，３１  フックテープ
１２，３３  フック金具
Ｂ          バック布
【図１】
0003105465.tif 000003
【図２】
0003105465.tif 000004
【図３】
0003105465.tif 000005
【図４】
0003105465.tif 000006
【図５】
0003105465.tif 000007
【図６】
0003105465.tif 000008
【図７】
0003105465.tif 000009
【図８】
0003105465.tif 000010
【図９】
0003105465.tif 000011
【図１０】
0003105465.tif 000012
【図１１】
0003105465.tif 000013
【図１２】
0003105465.tif 000014